(57)【要約】  使用者の顔に装着されるのに適したフレーム５と、前述のフレームによって担持される窓２と、光学表示システム１０であって、画像を投影することが可能な表示装置１２、及び、前述の表示装置から前述の画像を受け取ってそれを送ることが可能なプリズム２０を含む、光学表示システム１０と、を備える、保護マスク１であって、−  プリズム２０が、第１の能動面２１及び第２の能動面２２、並びに基底面２３を有し、−  窓が、その内側面３上に投影領域３０を有し、−  前述の表示装置及び前述のプリズムが、前記表示装置がプリズム２０の第１の能動面２１上に前述の画像を投影し、画像がプリズムを横断してプリズム２０の基底面２３により第２の能動面２２へ反射され、画像がプリズム２０の前述の第２の能動面２２から前述の窓２の前述の反射領域３０上に投影され、前述の窓が使用者の眼４１内に前述の画像を投影するように、構成され且つ配置されることを特徴とする、保護マスク１。
2021526668.tif 000002
【特許請求の範囲】
【請求項１】
使用者の顔に装着されることが可能なフレーム（５）と、
前記フレームによって担持される窓（２）と、
光学表示システム（１０）であって、
画像を投影することが可能な表示装置（１２）、及び
前記表示装置から前記画像を受け取ってそれを送ることが可能なプリズム（２０）
を含む、光学表示システム（１０）と、
を備える、保護マスク（１）、特にダイビング・マスクであって、
前記プリズム（２０）が、第１の能動面（２１）及び第２の能動面（２２）、並びに基底面（２３）を有し、
前記窓が、内側面（３）上に反射領域（３０）を有する平坦な窓であり、
前記表示装置及び前記プリズムが、
前記表示装置が前記プリズム（２０）の前記第１の能動面（２１）上に前記画像を投影し、
前記画像が前記プリズムを通過して前記プリズム（２０）の前記基底面（２３）により前記第２の能動面（２２）に向かって反射され、
前記画像が前記プリズム（２０）の前記第２の能動面（２２）から前記窓（２）の前記反射領域（３０）上に投影され、
前記窓が前記使用者の眼（４１）内に前記画像を送り、
前記プリズム（２０）と前記反射領域（３０）との間の光学経路上にレンズ（２８）が配置される
ように、構成され且つ配置される
ことを特徴とする、保護マスク（１）。
【請求項２】
前記第１及び第２の能動面（２１、２２）のうちの少なくとも一方が凸面であることを特徴とする、請求項１に記載の保護マスク。
【請求項３】
前記第１及び第２の能動面（２１、２２）のうちの少なくとも一方が非球面であることを特徴とする、請求項１又は２に記載の保護マスク。
【請求項４】
前記第１及び第２の能動側方面（２１、２２）が、基底面（２３）から延在し、且つ、前記プリズム（２０）の頂部（２４）において一緒になることを特徴とする、請求項１から３までのいずれか一項に記載の保護マスク。
【請求項５】
前記プリズムが、その頂部（２４）により前記窓（２）の前記内側面（３）に固定されることを特徴とする、請求項１から４までのいずれか一項に記載の保護マスク。
【請求項６】
前記プリズムが、前記第１及び第２の能動側方面（２１、２２）の他に、少なくとも１つの、また具体的には２つの他の非能動側方面（２５、２６）を備え、各非能動側方面が、前記基底面（２３）から延在し、且つ、前記頂点（２４）又は頂縁部又は頂面において一緒になることを特徴とする、請求項１から５までのいずれか一項に記載の保護マスク。
【請求項７】
前記使用者の前記眼（４１）のうちの一方の眼の前に配置される単一の光学表示システム（１０）、又は、前記使用者のそれぞれの眼の前にそれぞれが配置される２つの光学表示システム（１０）を備えることを特徴とする、請求項１から６までのいずれか一項に記載の保護マスク。
【請求項８】
前記表示装置（１２）及び前記プリズム（１０）のうちの一方が、前記窓（２）の前記内側面（３）に固定され、前記表示装置及び前記プリズムのうちのもう一方が、前記フレーム（５）に固定されることを特徴とする、請求項１から７までのいずれか一項に記載の保護マスク。
【請求項９】
前記レンズ（２８）が、平凸型のものであることを特徴とする、請求項１から８までのいずれか一項に記載の保護マスク。
【請求項１０】
ダイビング・マスク、独立式呼吸保護マスク、パイロット・マスク、溶接工マスク、又は飛び散りから身を守るためのマスクであることを特徴とする、請求項１から９までのいずれか一項に記載の保護マスク。
【請求項１１】
使用者の顔に装着されるのに適したフレームと前記フレームによって担持される窓とを備える請求項１から１０までのいずれか一項に記載の保護マスクのための単体光学系（４２）であって、
前記光学表示システムが、
画像を投影することが可能な表示装置（１２）と、
前記表示装置から前記画像を受け取り且つ前記画像を前記窓の方向に送ることが可能なプリズム（２０）であって、第１及び第２の能動面を有する、プリズム（２０）と、
前記プリズム（２０）と前記反射領域（３０）との間の前記光学経路上に配置されたレンズ（２８）と、
前記マスクの前記フレーム又は前記窓への取付けのための手段と、
を備える、単体光学系（４２）。
【請求項１２】
前記レンズが、密閉スクリーンの機能を果たす、請求項１１に記載の単体光学系。
【発明の詳細な説明】
【技術分野】
【０００１】
本発明は、光学系の分野に関し、より詳細には、光学表示システムに関する。本発明は、保護マスクに組み入れられた光学表示システム（「スマート・マスク」と呼ばれる）に関する。そのようなマスクは、具体的には、ダイビング・マスク又は保護マスクであり得る。
【背景技術】
【０００２】
一般に、ダイビング・マスクは、高圧に耐えなければならず、したがってかなり嵩張る。このことが、外部環境の視界を制限する。視覚システムをダイビング・マスクに組み入れることも、空間要求の制約を受ける。ＨＵＤビジョンと呼ばれる、ヘッド・アップ表示装置により情報又は画像を表示することを可能にするダイビング・マスクの様々なモデルが知られている。１つの実例は、市販されているＯｃｅａｎｉｃ  Ｄａｔａｍａｓｋ（商標）システムである。多数の特許文献が、様々な構成を提案している。これらの解決法は、通例、かなり嵩張り且つ重いダイビング・マスクにつながり、これは、通常の使用には適さない特定の目的を示す。
【０００３】
文献米国特許第６４４７１１５号及び米国特許第７０３８６３９号（米国海軍）、並びに米国特許第８０８２９２２号（Ｄｒａｇｅｒ  Ｓａｆｅｔｙ）は、マスクの底隅部に表示システムを位置決めすることを提案している。このシステムは、表示装置が使用者の視界を制限するので、特に嵩張る。この構成の光学経路は、表示装置上の直接視野である。類似の幾何形状により、文献ＷＯ２０１１／０４４６８０及びＷＯ２０１１／０８５５０１（Ｉｎｔｅｌ）は、視界へのシステムの影響及びマスクそれ自体のサイズへの影響を軽減する、小型化された表示装置を使用することを提案している。ＷＯ９０／０１７１７（ＧＥＣ  Ｍａｒｃｏｎｉ）及び米国特許第４，０８１，２０９号（Ｅｌｌｉｏｔｔ）は、凹面窓上に画像を投影する内部表示装置を含むパイロット・ヘルメットを説明している。
【０００４】
表示システムによるマスクの内側の妨害は、表示装置をマスクの外側にオフセットすれば回避することができる。これは、米国特許第９００１００５号及び米国特許第９０６９１６６号（Ｉｎｔｅｌ）で説明されている。どちらの場合でも光学経路は同じであり、即ち、表示装置の直接視である。そのような外部表示装置もまた、視界を制限し得る。さらに、画像は、窓を通過して回折及び反射を経験し、それにより、画像の鮮明さ及び輝度が弱められ得る。いかなる場合でも、外部表示システムは、外部環境（ヘルメットのタイプに応じて、水圧、熱、煙）に耐えることができるように保護されなければならない。このことが、機械的水準及び電気的水準の両方においてシステムをかなり複雑なものにする。
【０００５】
外部表示装置を含む別のシステムが、ＤＥ１０２０１１０８２２０８（Ｃａｒｌ  Ｚｅｉｓｓ）で説明されている。この文献は、表示装置及びプリズムを外部に有するダイビング・ゴーグルを提案している。画像は、マスクの窓の内側での多重反射により、使用者の眼に向いた窓の面に伝えられる。画像の伝播の領域は、実装するのが比較的複雑な光学層の蒸着による、窓の特異的な局所処理から得られる。
【０００６】
最後に、ＷＯ２００２／００２９９（Ｃｏｍｓｏｎｉｃ  Ｔｒｉｌｉｔｈｉｃ）で説明されているダイビング・マスクは、窓上に配置された、角柱状突出部を組み込んだオフセット表示装置を説明している。画像は、プリズム上に投影され、且つ、使用者の眼に向かって直接送られる。
【０００７】
マスクの外側に配置された光学表示システムの利点は、それらがマスクの内側の空間をふさがないことである。そのような光学表示システムの欠点は、水圧及び機械的損傷に対して光学表示システムを密封する必要があるので、それらがかなり嵩張り且つ重いことである。そのため、そのような光学表示システムは、マスクの外側を通した使用者の視界を制限する。さらに、使用者の眼内への直接投影は、眼による焦点調節の労力を必要とし、それは目の疲労の一因となる。
【先行技術文献】
【特許文献】
【０００８】
【特許文献１】米国特許第６４４７１１５号
【特許文献２】米国特許第７０３８６３９号
【特許文献３】米国特許第８０８２９２２号
【特許文献４】ＷＯ２０１１／０４４６８０
【特許文献５】ＷＯ２０１１／０８５５０１
【特許文献６】ＷＯ９０／０１７１７
【特許文献７】米国特許第４，０８１，２０９号
【特許文献８】米国特許第９００１００５号
【特許文献９】米国特許第９０６９１６６号
【特許文献１０】ＤＥ１０２０１１０８２２０８
【特許文献１１】ＷＯ２００２／００２９９
【発明の概要】
【発明が解決しようとする課題】
【０００９】
本発明の１つの目標は、上述された従来技術の欠点を少なくとも部分的に改善することである。
【００１０】
本発明の別の目標は、頑丈且つコンパクトであり且つマスクの内側に完全に配置されるヘッド・アップ表示システムを提案することである。
【００１１】
別の目標は、使用者の視界内に配置される画像を生成することが可能な、良好な画質を保証する単純な表示システムを提案することである。
【００１２】
本発明の別の目的は、平坦な窓とともに使用され得る表示システムを提案することである。
【課題を解決するための手段】
【００１３】
本発明によれば、問題は、２つの光学的構成要素即ちＯＬＥＤタイプの超小型表示装置及びプリズムを含むコンパクトな表示システムによって解決される。後者は、超小型表示装置によって受信された画像を拡大し、且つ、その画像をマスクの窓の内側面上に投影する。使用者は、窓上の反射における画像を、直接にその視界に見る。ダイビング・マスクで使用する場合、ガラスの面の光学指数（おおよそ１．４６）は水の光学指数（おおよそ１．３４）に比較的よく適応し、したがって寄生反射（ｐａｒａｓｉｔｉｃ  ｒｅｆｌｅｃｔｉｏｎ）が認められないので、マスクの窓の特定の光学的処理は必要とされない。
【００１４】
本発明の第１の対象は、
−  使用者の顔に装着されることが可能なフレームと、
−  前述のフレームによって担持される窓と、
−  光学表示システムであって、
・  画像を投影することが可能な表示装置、及び
・  前述の表示装置から前述の画像を受け取ってそれを送ることが可能なプリズム
を含む、光学表示システムと、
を備える、保護マスク、特にダイビング・マスクであって、
−  プリズムが、第１及び第２の能動面、並びに基底面を有し、
−  窓が、内側面上に反射領域を有する平坦な窓であり、
−  前述の表示装置及び前述のプリズムが、
・  前述の表示装置が、プリズムの第１の能動面上に前述の画像を投影し、
・  前述の画像が、プリズムを通過して、プリズムの基底面により第２の能動面に向かって反射され、
・  画像が、プリズムの前述の第２の能動面から前述の窓の前述の反射領域上に投影され、
・  前述の窓が、使用者の眼内に前述の画像を送り、
・  プリズムと前述の反射領域との間の光学経路上にレンズが配置される
ように構成され且つ配置される
ことを特徴とする、保護マスク、特にダイビング・マスクである。
【００１５】
プリズムの２つの能動面は、表示装置の画像を拡大し、且つ、使用者からある程度の距離のところに虚像を形成することが好ましい。
【００１６】
前述の第１及び第２の能動側方面は、基底面から延在し、且つ、プリズムの頂部において一緒になる。前述のプリズムは、典型的には、前述の第１及び第２の能動側方面の他に、少なくとも１つの、また具体的には２つの他の非能動側方面を備え、各非能動側方面は、前述の基底面から延在し、且つ、前述の頂点又は頂縁部又は頂面において一緒になる。
【００１７】
１つの実施例では、前述の第１及び第２の能動面のうちの少なくとも一方は、凸面且つ／又は非球面である。
【００１８】
別の実施例では、表示装置及びプリズムのうちの一方は、窓の内側面に固定され、表示装置及びプリズムのうちのもう一方は、フレームに固定される。プリズムは、その頂部により窓の内側面に固定され得る。
【００１９】
マスクは、使用者の眼のうちの一方の前に配置される単一の光学表示システム、又は、使用者のそれぞれの眼の前にそれぞれ配置される２つの光学表示システムを備え得る。２つの光学表示システムを使用者の同じ眼の前に配置することも可能である。
【００２０】
マスクの光学系の前述のレンズは、両凸、平凸、平凹、両凹、又はメニスカス型のものであり得る。例えばダブレットを形成するレンズ群を使用することも可能である。
【００２１】
本発明の別の対象は、使用者の顔に装着されるのに適したフレームと前述のフレームによって担持される窓とを備える保護マスク、特にダイビング・マスクのための単体光学系であって、
前述の光学表示システムが、
−  画像を投影することが可能な表示装置と、
−  前述の表示装置から前述の画像を受け取り且つ前述の画像を窓の方向に送ることが可能なプリズムであって、第１及び第２の能動面を有する、プリズムと、
−  プリズムと前述の反射領域との間の光学経路上に配置されたレンズと、
−  前述のマスクのフレーム又は窓への取付けのための手段と、
を備える、単体光学系である。
【００２２】
前述のレンズは、光束の収束及び補正に関する光学的機能を有する。前述の単体光学系は、有利には水密である。前述のレンズはまた、単体光学系の密閉スクリーンの機能を果たしてもよい。
【００２３】
図１から４は、本発明の実施例を示す。これらの図は、実例として与えられるものであって、本発明の範囲を限定するものではない。
【図面の簡単な説明】
【００２４】
【図１Ａ】本発明によるマスクの実施例の片側の正面図である。
【図１Ｂ】本発明によるマスクの実施例のもう片側の正面図である。
【図１Ｃ】本発明によるマスクの実施例の図１Ａと同じ側の正面図である。
【図２】光学経路を示さない、図１によるマスクの光学表示システムの概略図である。
【図３】プリズムと窓との間にレンズを含む、別の実施例による光学表示システムの概略図である。
【図４Ａ】図３の光学表示システムを使用するマスクの正面図である。
【図４Ｂ】光学表示システムを透過させて示す内側の図である。
【発明を実施するための形態】
【００２５】
本明細書では、以下の符号が使用される。
【表１】
2021526668.tif 000003
【００２６】
図１は、本発明によるマスクの典型的な実施例を示す。図１Ｂは、そのフレームとマスクを水密にするための手段とを含むマスクの一般的態様だけを（概略的に）示すが、図１Ａ及び１Ｃは、マスクの光学的構成要素だけを、マスクのフレームを含まずに（概略的に）示す。
【００２７】
マスク１は、フレーム５によって保持された窓２を備え、それらは全て図１Ｂに単独で見ることができる。図１は、使用者の頭部４０に固定するための手段などの、マスクの他の基本的であるが知られている要素を示さない。マスクを水密にするための手段が概略的に描写されており、且つ、参照番号７を有する。窓２は、内側面３及び外側面４を有し、そのどちらも図２に見ることができる。内側面３は、平坦であるか又は僅かに湾曲していてもよい。同様に、外側面４は、平坦であるか又は僅かに湾曲していてもよい。この実施例によるフレーム１は、鼻のための通路６を有する。これは、このようにすると窓２が使用者の眼４１により接近して配置されるので、有利である。しかし、本発明は、鼻のための通路を有さないマスクに対して実装されてもよい。
【００２８】
本発明によれば、マスク１は、図１Ａ及び１Ｃに単独で見ることができる光学表示システム１０を有する。このシステム１０は、マスク１の内側に配置される。システム１０は、表示装置１２及びプリズム２０を備える。本発明による光学表示システム１０は、様々なやり方で位置決めすることができ、図１Ａ及び１Ｃは、２つの可能性を示す。図１Ａでは、表示装置１２は、プリズム２０とともに水平軸上に配置されているが、図１Ｃでは、表示装置１２は、プリズム２０とともに水平軸に近い軸上に配置されている。どちらの場合でも、投影領域３０は、窓２の内側面３上に配置される。
【００２９】
表示装置１２は、有利には、それ自体が知られているＯＬＥＤ（有機発光ダイオード：ｏｒｇａｎｉｃ  ｌｉｇｈｔ  ｅｍｉｔｔｉｎｇ  ｄｉｏｄｅ）タイプの超小型表示装置である。図２によりはっきりと見ることができるプリズム２０は、平面図において矩形の形状である基部又は基底面２３を備える。プリズムの側方面は、基部２３から延在し、且つ、頂縁部２４（「屈折性縁部（ｒｅｆｒｉｎｇｅｎｔ  ｅｄｇｅ）」と呼ばれる）において一緒になる。能動面又は光学表面２１及び２２と呼ばれる２つの第１の対向する面、並びに非能動面２５及び２６と呼ばれる２つの他の対向する面が見られる。非能動側方面２５、２６は、本発明による光学表示システムの光学的効果に関与しない。
【００３０】
有利には、前述の能動面２１、２２のうちの少なくとも一方、好ましくは両方は、平坦ではなく、凸面又は凹面である。これは、画像の拡大をもたらす。さらに好ましくは、これらの凸状光学面２１、２２のうちの少なくとも一方は、非球面である。これは、光学収差を補正することを可能にし、且つ、画像の歪みを減少させる。
【００３１】
図１及び２による実施例では、光学表示システム１０は、他のいかなる光学的構成要素も備えない。
【００３２】
図２に概略的に示されるように、表示装置１２及びプリズム２０は、表示装置１２（図２では光ビームの出発点としてのみ示されており、且つ、窓２の内側面３に接近して配置されている）がプリズム２０の第１の凸状面２１上にその画像を投影するように、また、プリズム２０が基底面２３上で反射された画像をその第２の凸状面２２から窓２の内側面３の反射領域３０上に投影するように、構成され且つ配置される。プリズム２０の内側において、画像は、第１の能動面２１から基底面２３に向かって屈折され、次いで第２の能動面２２に向かって基底面２３上で反射される。第２の能動面２２から窓２の内側面３上に投影された画像は、使用者の眼４１内に反射される。２つの凸状隣接面２１、２２を含むプリズム２０の使用は、画像の拡大をもたらす。
【００３３】
図１による実施例では、本発明によるマスク１は、使用者の眼４１のうちの一方の前に配置された単一の光学表示システム１０を有する。図に示されていない別の実施例によれば、マスク１は、使用者の各眼４１（の前）に１つの、２つの光学表示システム１０を備える。図に示されていないさらに別の実施例によれば、マスクは、使用者の同じ眼（の前）に２つの光学表示システムを備える。この場合、前述の光学系のうちの一方は、典型的には窓の頂部に配置され、もう一方は、窓の底部に配置される。
【００３４】
一般に、表示装置１２は、（図１におけるように）窓２の内側面３に固定されるか、又は、フレーム５上に固定され得る（図に示されていない変形）。プリズム２０は、適切な固定手段を使用して、窓２の内側面３に、又はフレーム５に固定され得る。これらの２つの場合のそれぞれにおいて、前述の固定手段はまた、表示装置１２を固定し得る。この変形では、表示装置１２及びプリズム２０は、共通の固定手段により一緒に保持され且つ窓２の内側面３上に又はフレーム５上に固定される、単一のブロックを形成し得る。別の変形では、プリズム２０は、プリズムの頂部２４により、窓２の内側面３に固定される。プリズム２０の形態に応じて、この頂部２４は、頂点、頂縁部（屈折性）、又は頂面であり得る。後者の変形では、プリズム２０は、光学表示システム１０の空間要求を最小限に抑えるために、窓２に可能な限り接近し得る。プリズムの頂部２４が窓２の内側面３に接触するという事実は、必ずしもプリズム２０の機能を妨げない。
【００３５】
上述のように、プリズム２０の側方面２５、２６は、プリズム２０の光学的効果及び光学表示システムの光学的効果に関与しない。側方面２５、２６は、平坦、凹面、又は凸面であり得る。側方面２５、２６は、黒色に塗られ、且つ／又は、プリズム２０がマスク１に取り付けられるときにプリズム２０を位置決めするための支持面若しくは機械的把持面としての役割を果たし得る。別の実施例では、前述の固定手段は、プリズム２０の側面２５、２６のうちの少なくとも一方に取り付けられる。
【００３６】
図３は、本発明による光学表示システムの別の実施例を概略的に示し、この実施例では、平凸であり得るレンズ２８が、プリズム２０と窓２の内側面３との間の光学経路上に配置される。それにより、仮想画像の焦点調節を改善することができる。表示装置１２及びプリズム２０が単体システム４２を形成する場合、前述のレンズ２８は、密閉スクリーンの役割を果たすことができる。図３における実施例では、プリズムの２つの光学表面が、窓２の内側面３に向かって配向された単一の湾曲表面２７を形成し、このプリズムが、いかなる屈折性縁部も有さないことが、留意されるであろう。本発明の全ての実施例において典型的には非球面である単一の湾曲表面により２つの光学表面が表わされるそのようなプリズムを使用することが可能であることは、明白である。
【００３７】
図４は、図３に関連して説明されたような単体システムの２つの異なる図、即ち、マスクの内側の図（図４Ａ）及び外側の図（図４Ｂ）を示す。単体システム４２（その光学的構成要素を示すために、透過して示されている）を見ることができる。レンズ２８は、密閉スクリーンを形成する。この密閉スクリーンは、窓２から短距離のところに配置される。使用者の瞳孔４１の３つの異なる位置が示されている。この単体システムは、窓２に、又はフレーム６に固定され得る。
【００３８】
本発明は、知られたタイプの任意のマスクとともに、また具体的にはダイビング・マスク及び保護マスクとともに実装され得る。これらのマスクは、少なくとも１つの窓２を備え、且つ、フレーム５を備え得る。それらは、鼻６のための通路を有し得るか、又は有し得ない。第１の場合では、窓２は、第２の場合におけるよりも使用者の眼４１に近接し、また、光学表示システム１２のサイズを減少させることを可能にする本発明は、いっそう有利になるであろう。保護マスクは、例えば、ダイビング・マスク、独立式呼吸マスク（ｓｅｌｆ−ｃｏｎｔａｉｎｅｄ  ｒｅｓｐｉｒａｔｏｒｙ  ｍａｓｋ）、パイロット・マスク、又は飛び散りから身を守るマスクである溶接工マスクであり得る。窓２が画像の歪みを生じさせない平坦なものであるマスクが、好ましい。
【００３９】
本発明によるマスクは、使用者が見ることができまた窓を通した使用者の通常の視野上に重ね合わせられる、１つ若しくは複数の色の英数字形態の及び／又は画像の形態の、あらゆるタイプの情報を表示することを可能にする。この情報は、様々な性質のものであってよく、且つ、様々な性質のソース又はセンサによって供給されてもよく、且つ、例えば、時間の測定値（具体的には、現在時刻、時点ゼロからの経過時間、事象が起こるまでの残り時間）、空間の測定値（具体的には、潜水深さ、コンパス方位、位置）、使用者によって持ち運ばれる予備資源量（具体的には、圧縮空気、酸素、電気エネルギー）、環境（具体的には、外部温度、ＣＯ２レベル、酸素レベル、ＣＯレベル、障害物に対する距離、可視性、使用者によって持ち運ばれるカメラからの画像）、外部送信機から受信される情報及び命令（例えば、使用者の目に見えない危険に関する情報、使用者に与えられる命令）、グラフ（例えば、潜水曲線、減圧曲線）に関連し得る。
【００４０】
本発明によるマスク１は、多くの利点を有する。窓２の内側面３上への画像の投影により、投影される画像は使用者の自然な視野上に重ね合わせられるので、焦点調節の労力は使用者に必要とされない。光学表示システムのプリズム２０は、光学的機能の大半を集中する。プリズム２０は、画像を拡大し、且つ、反射領域３０上に画像を投影することを可能にし、この反射領域３０は、良好な視覚的快適性とともにマスクの使用者によるその認知を可能にするのに十分な大きさである。光束は、反射面の乱れの危険性を伴うことなしに、プリズムにおいて曲げられ、画像は、２つの非平面の光束入射面及び光束射出面により、集中され且つ補正される。したがって、光学表示システムは、非常にコンパクトであり、結果的に、マスクの着用者の全体的な視野は、縮小されない。したがって、使用者の直接視は、光学系によりごく僅かにしか邪魔されない。マスク１の内側に光学系を据え付けることは、眼４１と窓２との間の距離を増大させることを必要としない。
【００４１】
本発明による光学表示システムは、特に単純であり、且つ、平坦な窓を備えた標準的なタイプのダイビング・マスクに直接取り付けられ得る。マスクを改造する必要はなく、また、マスクの保護機能及び水密機能は維持される。窓は、能動的な光学的機能を有さずに、単純に鏡面反射表面としての役割を果たす。窓が湾曲しているマスクと比較すると、表示システムを追加することは、曲り具合の精密な制御も、窓の曲り具合に対する表示システムの個別の調整も必要としない。本発明による表示システムは、特にコンパクトであり、且つ、接着結合により平坦な窓に容易に固定することができる（接着結合は、湾曲した窓の場合、より困難であり得る）。
【００４２】
１つの実施例では、窓の内側面に機能性被覆が追加される。この被覆は、知られたタイプのものであってよい。この被覆は、光学的機能を有する被覆、例えば、広帯域反射被覆（金属層又は誘電体層など）、又は表示装置の放射波長に集中される狭帯域反射被覆であってよい（典型的には、誘電体層。被覆は、これらの光学的機能のうちの１つと、１つ又は複数の他の機能、具体的には耐曇り機能、引っ掻き傷防止機能、若しくは油はじき機能とを組み合わせる被覆であってもよい。
【００４３】
ＯＬＥＤを基礎とする超小型表示装置を備えた光学表示システムの電力消費量は、非常に減少される。表示装置の電気供給源は、電池であってよい。電気供給源は、例えば光学ユニット内に位置決めされ得る。
【００４４】
本発明の光学表示システムは、既存のマスクにうまく嵌まることができ、また、マスクの設計を変更することは通常必要とされない。これらのマスクは非常に特殊な製品であり、マスク、マスクの窓、又はマスクのシェルに対する任意の実質的な修正はかなりの費用を生じさせるはずなので、上記のことは、重要な利点となる。
【００４５】
図に示されていない変形では、本発明による単体システム１２はまた、アドレス指定マイクロプロセッサ及び／又は再充電可能電流源を備え、再充電可能電流源は、表示装置に、また存在するのであればマイクロプロセッサに給電する。
【００４６】
プリズム２０は、例えば知られた成形技法又は射出技法により、適切な透明プラスチック材料から作製され得る。例えば成形ガラスから作られた、研磨された能動面を有するガラス・プリズムを使用することも可能である。
【図１Ａ】
2021526668.tif 000004
【図１Ｂ】
2021526668.tif 000005
【図１Ｃ】
2021526668.tif 000006
【図２】
2021526668.tif 000007
【図３】
2021526668.tif 000008
【図４Ａ】
2021526668.tif 000009
【図４Ｂ】
2021526668.tif 000010
【国際調査報告】
2021526668.tif 000011
2021526668.tif 000012
2021526668.tif 000013
2021526668.tif 000014